(57)【要約】  バッテリー駆動型携帯動力工具は、交換可能なバッテリーユニット（１８）を取り付けるための接続手段（１７）を備えたピストル型のハウジング（１０）と、ハウジング（１０）とバッテリーユニット（１８）との間に挿置でき、しかも種々の工具適用の特別の要求を満たすための特別の特徴構成、例えば固定制御ユニットと無線信号通信するトランシーバーを工具に付加するアクセサリーを備えたグレードアップモジュール（３０）とを有して成る。【選択図】    図２
2009515718.tif 000002
【特許請求の範囲】
【請求項１】
電動機と、ハウジング（１０）とを有し、ハウジング（１０）が接続手段（１７）を備え、接続手段（１７）が交換可能なバッテリーユニット（１８）における整合接続手段（１９）と係合する、バッテリー駆動型携帯動力工具において、
ハウジング（１０）に別個のグレードアップモジュール（３０）が接続でき、動力工具を所望の仕様に適合させる付加的な動作特徴を備え、
上記グレードアップモジュール（３０）がその一側に、ハウジング（１０）における上記接続手段（１７）と整合する接続手段（３１）を備え、また他側にはバッテリーユニット（１８）における整合接続手段（１９）と整合する接続手段（３２）を備え、上記グレードアップモジュール（３０）が必要に応じてハウジング（１０）とバッテリーユニット（１８）との間に挿置できることを特徴とするバッテリー駆動型携帯動力工具。
【請求項２】
上記グレードアップモジュール（３０）が、全部動力工具を所望の使用に適合させる種々のセットアップアクセサリーを備えた二つ以上の相互に交換可能なグレードアップモジュールの一つであることを特徴とする請求項１に記載のバッテリー駆動型携帯動力工具。
【請求項３】
上記グレードアップモジュール（３０）が、ハウジング（１０）に不変的に支持されるように構成したことを特徴とする請求項１又は２に記載のバッテリー駆動型携帯動力工具。
【請求項４】
上記グレードアップモジュール（３０）が、バッテリーユニット（１８）に不変的に支持されるように構成したことを特徴とする請求項１又は２に記載のバッテリー駆動型携帯動力工具。
【請求項５】
上記二つ以上の相互に交換可能なグレードアップモジュールの少なくとも一つが、固定制御ユニットと無線通信するトランシーバーを備えていることを特徴とする請求項１〜４のいずれか一項に記載のバッテリー駆動型携帯動力工具。
【請求項６】
電動機と、交換可能なバッテリーユニット（１８）における整合接続手段（１９）と係合する接続手段（１７）とを備えたハウジング（１０）を有するバッテリー駆動型携帯動力工具において、
ハウジング（１０）に別個のグレードアップモジュール（３０）が接続でき、グレードアップモジュール（３０）が固定制御ユニットと無線通信するトランシーバーを備え、上記グレードアップモジュール（３０）がその一側に、ハウジング（１０）における上記接続手段（１７）と整合する第１の接続手段（３１）を備え、また他側にはバッテリーユニット（１８）における整合接続手段（１９）と整合する第２の接続手段（３２）を備え、上記グレードアップモジュール（３０）が必要に応じてハウジング（１０）とバッテリーユニット（１８）との間に挿置でき、また上記グレードアップモジュール（３０）が、全部動力工具を所望の使用に適合する種々のセットアップアクセサリーを備えた二つ以上の相互に交換可能なグレードアップモジュールの一つであることを特徴とするバッテリー駆動型携帯動力工具。
【請求項７】
上記グレードアップモジュール（３０）が、ハウジング（１０）に不変的に支持されていることを特徴とする請求項６に記載のバッテリー駆動型携帯動力工具。
【請求項８】
上記グレードアップモジュール（３０）が、バッテリーユニット（１８）に不変的に支持されていることを特徴とする請求項６に記載のバッテリー駆動型携帯動力工具。
【請求項９】
上記グレードアップモジュール（３０）が、作業領域を照射する光発生手段（３４）を備えていることを特徴とする請求項６〜８のいずれか一項に記載のバッテリー駆動型携帯動力工具。
【発明の詳細な説明】
【技術分野】
【０００１】
本発明は、交換可能なバッテリーユニットによって駆動され、バッテリーユニットとの間の電気通信を確立する整合したコネクター要素を備えた接続手段を介してバッテリーユニットを接続する携帯動力工具に関するものである。
【背景技術】
【０００２】
携帯動力工具に特有の問題は、実際の工具仕様に必要とされ得るアクセサリーを取り付けるために利用できるスペースが限られており、またそれだけでなく種々の工具仕様が構成の異なる工具を必要とし、このため工具供給業者から提供される殆どの動力工具は個々の仕様に特別に適合しなければならない。このことは、各動力工具が所望の動作特性をもたらす特定のセットアップアクセサリーを備えて特別に設計されなければならず、その結果動力工具の製造コストが高くなる傾向にあることを意味している。
【０００３】
この問題の解決法は、幾つかの基本形式の動力工具と、種々の動力工具仕様に適合する種々のアクセサリーセットを備えしかも工具に容易に装着できる多数とのグレードアップモジュールとを提供することにある。そのため各動力工具の注文には、基本の動力工具モジュールと、全て実際の工具仕様に適合するようにされたアクセサリーを備えたグレードアップモジュールとを含んでいる。このようなシステム構成それ自体はケーブル接続型動力工具に関して従来から開示されている。米国特許第６，８２１，１５７号参照。
【０００４】
ケーブル接続型動力工具と対照的に、上記形式の動力工具は、また遠隔地に設けた固定制御ユニットとの電気信号のやり取りの問題にも直面し、かかる信号は、工具の動作を調整し及び／又は動作中に工具が実際に遭遇したパラメータ値を報告することに関係している。
【０００５】
この問題は、例えば米国特許第６，８４５，２７９号に記載されているように、動力工具と制御ユニットとの間に無線通信を使用することによって解決されてきた。
【発明の開示】
【発明が解決しようとする課題】
【０００６】
本発明の主たる目的は、ほんの僅かな基本工具モジュールに基づいて広範囲の仕様を備えた動力工具を提供できる、工具製造業者にとってコスト削減の融通性と相俟って、種々の所望の仕様に対する動力工具の適合性を増大するグレードアップモジュールを備えたバッテリー駆動型動力工具を提供することにある。
【０００７】
本発明による動力工具グレードアップモジュールシステムは、例えば、バッテリー駆動型動力工具に、動力工具事態の構造を複雑にすることなく固定制御ユニットとの電気信号のやり取りを行う無線通信手段を容易に設けることができることを意味している。
【発明を実施するための最良の形態】
【０００８】
以下、本発明の好ましい実施形態について添付図面を参照して詳細に説明する。
【０００９】
図面に示す動力工具は、ハウジング１０にハンドル１１及び出力軸１２に結合した電動機を設けて成るバッテリー駆動ピストル型スクリュードライバーである。ハウジング１０には、パワー制御ボタン１５及び順回転／逆回転モード切換えスイッチ１６が支持されている。
【００１０】
この形式の工具における普通の仕方で、ハンドル１１の下方端部には、整合接続手段１９を備えたバッテリーユニット１８を装着するための接続手段１７が設けられている。バッテリーユニット１８はこの形式の電動工具に用いられる標準型のものである。これらの接続手段１７、１９は、バッテリーユニット１８から動力工具の電動機へ電力を伝送する電気的コネクターを備えている。また、ハウジング１０に対してバッテリーユニット１８を保持するクイックカップリング型のロック装置２３も設けられている。従って、バッテリーユニット１８は、必要な時にハンドル１１からグレードアップモジュール３０を外さずに、別の充分に充電したバッテリーユニットと容易に交換できる。グレードアップモジュール３０を一層安全に工具のハウジング１０に固定するために、一層信頼できる保持手段、例えば、ねじ付緊締具を適当に付け加える。
【００１１】
工具にはまた、発生した出力トルク及びバッテリーユニット充電レベルのような種々の動作パラメータを感知する複数のセンサー（図示していない）が設けられ得る。これらのセンサーは多数の信号灯２５ａ、２５ｂ、２５ｃに接続され、これらの信号灯によって、スクリュードライバーの発生した出力トルクが予定した最終トルクレベルに達したか否か、すなわち、ねじジョイントが許容できるように締付けられたどうか、そしてまたバッテリーユニット１８の充電レベルが新しい充分に充電したユニットへの交換を促すある一定のレベル以下に降下したことを作業者に知らせる。
【００１２】
本発明によれば、工具には、交換可能なグレードアップモジュール３０が設けられ、このグレードアップモジュール３０はバッテリーユニット１８とハンドル１１との間に挿置でき、また、ハンドル１１及びバッテリーユニット１８における接続手段１７、１９と整合する接続手段３１、３２を備えている。クイックカップリング型のロック装置２３は、ハンドル１１に対してグレードアップモジュール３０を保持するためにグレードアップモジュール３０に設けられている。このグレードアップモジュール３０は、特殊な工具適用及び／又は特殊な工具作業者の特別の要求を満たすように個別に構成され、そして例えば作業現場に設置した図示していない固定工具動作制御及び監視ユニットと無線通信するトランシーバーのような付加的な特徴構成を備えている。このような無線通信手段によって、ある所望のねじジョイント締付け計画に従って工具の動作を制御することができる。グレードアップモジュール３０を介して工具に付加され得る他のアクセサリーすなわち特徴構成は、作業対象物に対して実際の工具位置を決める工具位置決め手段、並びにある一定の動作条件を作業者に知らせる特別の警告灯及び／又はブザーである。グレードアップモジュール３０にはまた、作業対象物確認スキャナー３４が設けられ得る。図１参照。
【００１３】
グレードアップモジュール３０は、多数の相互に交換可能なグレードアップモジュールの一つであり、各グレードアップモジュールは、ある特定の工具適用及び作業者の希望の特殊な要求を満たすように特別に構成される。これによって、特別の動作特徴構成の種々の作業者／適用の要求に対して動力工具を特別に構成する必要がないという利点が得られる。代わりに、動力工具には、基本レベルの特徴構成を設け、そして特別に構成したグレードアップモジュールによって、必要とされる特別の特徴構成を付加できるようにしてもよい。
【００１４】
本発明の別の実施形態においては、グレードアップモジュール３０は、バッテリーユニット１８と不変的に結合され得、そして工具の誤った使用や盗難を防ぐのに有効である動力工具稼動信号を各バッテリーユニット充電場所で受けるように構成され得る。このことは、各々交換可能なバッテリーユニット１８に取り付けられる多数の同一のグレードアップモジュール３０が設けられることになることを意味している。またこの実施形態では、バッテリーユニット１８にグレードアップモジュール３０を固定する一層信頼できる保持手段、例えばねじ付き緊締具を付加することができる。
【００１５】
本発明による動力スクリュードライバーの使用時には、工具のハンドル１１に特別な適用のための特別に構成したグレードアップモジュール３０が嵌合され、そしてバッテリーユニットの交換の数は不変的に重要でない。
【００１６】
好ましくは、各グレードアップモジュールには、特定のモジュールの特別の構成を表す確認コードを設けるべきであり、この確認コードによって特定の工具適用に対して正しいモジュールを自動的に選択できるようにすべきである。
【図面の簡単な説明】
【００１７】
【図１】本発明による動力工具を示す斜視図。
【図２】バッテリーユニット及びグレードアップユニットを外した状態で図１の動力工具を示す分解斜視図。
【図１】
2009515718.tif 000003
【図２】
2009515718.tif 000004
【国際調査報告】
2009515718.tif 000005
2009515718.tif 000006
2009515718.tif 000007
2009515718.tif 000008